(57)【要約】【課題】  結露発生を招くことなく、温水の温度範囲をより低温側に拡げて低温・中温・高温の３温度以上の温水供給を実現し得る温水暖房システムの熱源機を提供する。【解決手段】  膨張タンク１２から熱交換器１６に戻す低温水をそのまま低温往き路２１、低温水供給口１１２を通して低温暖房端末３に供給する。低温水を液−液熱交換器１４で昇温させた後に熱交換器１６に入れて、加熱後の高温水を高温往き路１９、高温水供給口１１４を通して高温暖房端末５に供給する。高温往き路内の高温水を高温バイパス路２０に分流させて液−液熱交換器に対し熱源として供給し、液−液熱交換器で昇温した温水の一部を中温往き路２２に分流させて、中温水として中温供給口１１３を通して中温暖房端末に供給する。【選択図】      図１
2006046809.tif 000002
【特許請求の範囲】
【請求項１】
ケーシング内の熱交換器で燃焼熱により熱交換加熱した温水をその熱交換器から暖房端末側に供給し、暖房端末から放熱後の温水を上記熱交換器側に戻すように温水を強制循環させるように構成された温水暖房システムの熱源機において、
上記ケーシングに配設された低温水供給口、中温水供給口及び高温水供給口の３種類の供給口と、
上記ケーシング内に戻された温水を上記熱交換器まで戻す戻り路と、
上記戻り路の途中から分岐されて上記戻された温水をそのまま低温水として上記低温水供給口に供給する低温水供給路と、
上記戻り路に介装されてその戻り路内の温水を上記熱交換器に入れる前に液−液熱交換により昇温させる第２熱交換器と、
上記第２熱交換器の出口側の戻り路から分岐されて上記第２熱交換器での液−液熱交換により昇温された後の温水を中温水として上記中温水供給口に供給する中温水供給路と、
上記熱交換器により熱交換加熱された後の温水を高温水として上記高温水供給口に供給する高温水供給路と、
上記高温水供給路の途中から分岐され上記第２熱交換器に対し高温水供給路内の高温水を液−液熱交換のための熱源として供給した後に上記戻り路の上流側に戻す高温水バイパス路と
を備えている
ことを特徴とする温水暖房システムの熱源機。
【請求項２】
ケーシング内の熱交換器で燃焼熱により熱交換加熱した温水をその熱交換器から暖房端末側に供給し、暖房端末から放熱後の温水を上記熱交換器側に戻すように温水を強制循環させるように構成された温水暖房システムの熱源機において、
上記ケーシングに配設された低温水供給口、中温水供給口及び高温水供給口の３種類の供給口と、
上記ケーシング内に戻された温水を上記熱交換器まで戻す戻り路と、
上記戻り路の途中から分岐されて上記戻された温水をそのまま低温水として上記低温水供給口に供給する低温水供給路と、
上記戻り路に介装されてその戻り路内の温水を上記熱交換器に入れる前に液−液熱交換により昇温させる第２熱交換器と、
上記熱交換器により熱交換加熱された後の温水を高温水として上記高温水供給口に供給する高温水供給路と、
上記高温水供給路の途中から分岐され上記第２熱交換器に対し高温水供給路内の高温水を液−液熱交換のための熱源として供給しかつその液−液熱交換により降温した後の温水を中温水として上記中温水供給口に供給する中温水供給路と
を備えている
ことを特徴とする温水暖房システムの熱源機。
【発明の詳細な説明】
【技術分野】
【０００１】
本発明は、熱源機から複数の暖房端末に対し熱源としての温水を供給する温水暖房システムに用いられる熱源機に関し、特に供給先の暖房端末の種類等に応じて温水の要求温度が異なる場合に、高温・中温・低温という３つの温度域の温水（３温度の温水）を同時に供給し得るようにした温水暖房システムの熱源機に係る。
【背景技術】
【０００２】
従来、温水暖房システムの熱源機として、２温度の温水（２つの温度域の温水）を同時に供給し得るようにしたものが知られている。例えば図３に示すように、熱源機２００に戻り口１１１、低温水供給口１１２、高温水供給口１１４を設け、高温水供給口１１４から高温暖房端末５００の入口までを高温往き配管５１０により、高温暖房端末５００の出口から戻り口１１１までを高温戻り配管５２０によりそれぞれ接続する一方、低温水供給口１１２から低温暖房端末４００までを低温往き配管４１０により、低温暖房端末４００から戻り口１１１までを低温戻り配管４２０によりそれぞれ接続する。一方、熱源機２００内では、途中に膨張タンク１２及び循環ポンプ１３を介装した戻り路１７０により上記戻り口１１１から熱交換器１６の入口までを接続すると共に、熱交換器１６の出口から高温水供給口１１４までを高温往き路１９０により接続する。又、上記循環ポンプ１３と熱交換器１６との途中の戻り路１７０から低温往き路２１０を分岐させ、この低温往き路２１０の下流端を上記低温水供給口１１２に接続する。そして、循環ポンプ１３の作動により膨張タンク１２内の戻り側温水（低温水）を熱交換器１６に送り、この熱交換器１６においてバーナ１５の燃焼熱により熱交換加熱した高温水（例えば８０℃程度の温水）を高温往き路１９０、高温接続口１１４及び高温往き配管５１０を通して高温暖房端末５００に供給し、放熱後に低温となった低温水を高温戻り配管５２０、戻り口１１１及び戻り路１７０を通して膨張タンク１２に戻すようにしている。これと同時に、上記の循環ポンプ１３の作動により膨張タンク１２内の低温水は熱交換器１６側とは別に低温往き路２１０に分流され、熱交換器１６での加熱を経ずに低温水（例えば６０℃程度の温水）のままで低温接続口１１２及び低温往き配管４１０を通して低温暖房端末４００に供給し、放熱後のより低温となった温水を低温戻り配管４２０、戻り口１１１及び戻り路１７０を通して膨張タンク１２に戻すようにしている。
【０００３】
このような構成の温水暖房システムの熱源機に工夫を加えて、熱源機から供給し得る温水の温度域を上記の高温水及び低温水以外にも増やすようにしたものも知られている。すなわち、上記の高温往き路内の高温水と、低温往き路内の低温水とをそれぞれ開閉弁を介して混合させて上記の高温水及び低温水とは異なる温度域の温水を作り出すようにしたもの（例えば特許文献１参照）、あるいは、混合の際に低温水側の混合量を水量制御弁により調整可能として混合後の温水温度を調整し得るようにしたもの（例えば特許文献２参照）、が知られている。
【０００４】
【特許文献１】特開平１０−１０３６８７号公報
【特許文献２】特開平１１−２１１３８８号公報
【発明の開示】
【発明が解決しようとする課題】
【０００５】
ところが、上記の高温水と低温水との混合による手段を採用すると、低温暖房端末（例えば床暖房等）で要求される６０℃の低温水と、高温暖房端末で要求される８０℃の高温水との混合であるため、混合後の温水は６０℃〜８０℃の間の温度にはなるものの、６０℃よりも低温側の温水を作り出すことはできない。一方、近年、熱源としての温水の要求温度がより低い低温暖房端末の開発が行われており、このような低温暖房端末には従来の６０℃よりも低い例えば５０℃又は４０℃という低温の温水供給が求められることになる。その一方、同じ熱源機から高温暖房端末に供給すべき温水の要求温度としては上記の８０℃という高温が従来通り要求されることになるし、従来通りの床暖房には同じ熱源機から同時に６０℃の温水供給も必要となる。
【０００６】
しかるに、従来の熱源機を用いて、６０℃よりも低温側の温水（例えば４０℃）を熱源機から暖房端末側に供給するために、これに応じて熱源機から暖房端末側に高温水として供給する温水温度を下げ（例えば８０℃から６０℃に下げる）、暖房端末での放熱後に低温となった温水（４０℃）を熱源機の熱交換器で再び加熱して６０℃まで昇温させることも考えられるが、こうすると、高温暖房端末で要求される熱源としての温水供給が行い得なくなったり、熱交換器での結露発生により熱交換器の耐久性低下を招いたりするという不都合発生が予測されることになる。又、起動時に通常の要求温度よりも高めの温水を供給して暖房端末側を早期に昇温させるというホットダッシュを実行させる場合には、要求温度が例えば４０℃の低温暖房端末、６０℃の低温暖房端末及び８０℃の高温暖房端末という要求温度範囲が幅広い３種類の暖房端末を同じ熱源機に併設すると、ホットダッシュ自体はたとえ実現し得ても特に上記の４０℃の低温暖房端末に過度に高温の温水が供給されてしまい、その低温暖房端末の使用感が悪化してしまうことにもなる。
【０００７】
本発明は、このような事情に鑑みてなされたものであり、その目的とするところは、結露の発生を招くことなく、熱源機から供給する温水の温度範囲をより低温側に拡げて低温・中温・高温の３温度以上の温水供給を実現し得る温水暖房システムの熱源機を提供することにある。
【課題を解決するための手段】
【０００８】
上記目的を達成するために、ケーシング内の熱交換器で燃焼熱により熱交換加熱した温水をその熱交換器から暖房端末側に供給し、暖房端末から放熱後の温水を上記熱交換器側に戻すように温水を強制循環させるように構成された温水暖房システムの熱源機を対象として、次の発明を創作した。
【０００９】
すなわち、第１の発明では、上記ケーシングに配設された低温水供給口、中温水供給口及び高温水供給口の３種類の供給口と、上記ケーシング内に戻された温水を上記熱交換器まで戻す戻り路と、上記戻り路の途中から分岐されて上記戻された温水をそのまま低温水として上記低温水供給口に供給する低温水供給路と、上記戻り路に介装されてその戻り路内の温水を上記熱交換器に入れる前に液−液熱交換により昇温させる第２熱交換器と、上記第２熱交換器の出口側の戻り路から分岐されて上記第２熱交換器での液−液熱交換により昇温された後の温水を中温水として上記中温水供給口に供給する中温水供給路と、上記熱交換器により熱交換加熱された後の温水を高温水として上記高温水供給口に供給する高温水供給路と、上記高温水供給路の途中から分岐され上記第２熱交換器に対し高温水供給路内の高温水を液−液熱交換のための熱源として供給した後に上記戻り路の上流側に戻す高温水バイパス路とを備える構成とした（請求項１）。
【００１０】
この第１の発明の場合、強制循環を開始して上記熱交換器での燃焼熱による熱交換加熱を開始すると、暖房端末側からケーシングに戻された温水の一部がそのまま低温水供給路に分流されて低温水供給口に対し低温水として供給される一方、他部が第２熱交換器を通過して液−液熱交換により昇温された後に上記熱交換器に送られることになる。これにより、上記の低温水を極めて低温（例えば４０℃）に設定したとしても、上記熱交換器に入る前に昇温されるため、上記熱交換器での結露発生を回避し得る。又、上記の第２熱交換器を通過することにより昇温された温水が上記熱交換器側とは別に中温水供給路に分流されて中温水供給口に対し中温水として供給される一方、上記熱交換器で加熱された温水は高温水として高温水供給路を通して高温水供給口に供給されることになる。この際、上記中温水は、第２熱交換器において、戻り路からの低温水が、高温水供給路から分岐された高温水バイパス路を通して供給される高温水との液−液熱交換により昇温されるため、低温水と高温水との中間の温度（例えば６０℃）を有することになる。以上により、同じ熱源機から低温水・中温水・高温水という３種類の温度域の温水をそれぞれ要求温度の異なる３種類の暖房端末に供給し得ることになる。加えて、上記の中温水の温度を従来の熱源機から供給されている低温水温度（例えば６０℃）に設定し、上記の低温水の温度をさらに低温側に設定することにより熱源機から供給し得る温水の温度範囲を従来の熱源機よりも低温側に拡張させ得ることになる上に、そのように低温側に拡張したとしても上述の如く熱交換器での結露発生を招くこともない。
【００１１】
又、第２の発明では、上記ケーシングに配設された低温水供給口、中温水供給口及び高温水供給口の３種類の供給口と、上記ケーシング内に戻された温水を上記熱交換器まで戻す戻り路と、上記戻り路の途中から分岐されて上記戻された温水をそのまま低温水として上記低温水供給口に供給する低温水供給路と、上記戻り路に介装されてその戻り路内の温水を上記熱交換器に入れる前に液−液熱交換により昇温させる第２熱交換器と、上記熱交換器により熱交換加熱された後の温水を高温水として上記高温水供給口に供給する高温水供給路と、上記高温水供給路の途中から分岐され上記第２熱交換器に対し高温水供給路内の高温水を液−液熱交換のための熱源として供給しかつその液−液熱交換により降温した後の温水を中温水として上記中温水供給口に供給する中温水供給路とを備える構成とした（請求項２）。
【００１２】
この第２の発明の場合、強制循環を開始して上記熱交換器での燃焼熱による熱交換加熱を開始すると、暖房端末側からケーシングに戻された温水の一部がそのまま低温水供給路に分流されて低温水供給口に対し低温水として供給される一方、他部が第２熱交換器を通過して液−液熱交換により昇温された後に上記熱交換器に送られることになる。これにより、第１の発明と同様に、上記の低温水を極めて低温（例えば４０℃）に設定したとしても、上記熱交換器に入る前に昇温されるため、上記熱交換器での結露発生を回避し得る。又、上記の熱交換器で加熱された温水は高温水として高温水供給路を通して高温水供給口に供給されることになる。そして、高温水供給路から分流して中温供給路に流入した高温水が上記の第２熱交換器に対し熱源として供給され、液−液熱交換により降温した温水が中温水供給口に対し中温水として供給されることになる。この場合も、上記中温水は、第２熱交換器において、高温水供給路からの高温水が、戻り路からの低温水との液−液熱交換により降温されるため、低温水と高温水との中間の温度（例えば６０℃）を有することになる。以上により、第１の発明の場合と同様に、同じ熱源機から低温水・中温水・高温水という３種類の温度域の温水をそれぞれ要求温度の異なる３種類の暖房端末に供給し得ることになる。加えて、上記の中温水の温度を従来の熱源機から供給されている低温水温度（例えば６０℃）に設定し、上記の低温水の温度をさらに低温側に設定することにより熱源機から供給し得る温水の温度範囲を従来の熱源機よりも低温側に拡張させ得ることになる上に、そのように低温側に拡張したとしても上述の如く熱交換器での結露発生を招くこともない。
【発明の効果】
【００１３】
以上、説明したように、請求項１又は請求項２の温水暖房システムの熱源機によれば、低温水を低温水供給口に、中温水を中温水供給口に、そして、高温水を高温水供給口にそれぞれ供給することができ、１つの熱源機から３種類の温度域の温水をそれぞれ要求温度の異なる３種類の暖房端末に対し同時に供給することができる。加えて、熱源機から供給し得る温水の温度範囲を従来の熱源機よりも低温側に拡張させることができる上に、そのように低温側に拡張したとしても熱交換器での結露発生を回避することができる。
【００１４】
特に、請求項１では、中温水の供給を加熱用熱交換器を経ることなく直接に中温水供給口から暖房端末側に供給するようにしているため、加熱用熱交換器の通過に伴う圧力損失の影響を受けることなく強制循環による温水供給圧を維持した状態で中温水を暖房端末側に供給することができる。一方、請求項２では、加熱用熱交換器で加熱された後の高温水の一部を用いて中温水の供給を行っているため、戻り路から加熱用熱交換器に送られる温水の流量を請求項１の場合よりも多くすることができ、加熱用熱交換器での加熱により受ける熱量を請求項１の場合よりも多く確保することができる。この結果、暖房端末側での運転台数の増加切換又は運転能力の強側への切換等に伴い要求熱量の総量が増加したとしても、より適切に対応することができる。
【発明を実施するための最良の形態】
【００１５】
以下、本発明の実施形態を図面に基づいて説明する。
【００１６】
＜第１実施形態＞
図１は、本発明の第１実施形態に係る熱源機２ａと、この熱源機２ａを用いた温水暖房システムを示す。この温水暖房システムは、上記の熱源機２ａと、この熱源機２ａとの間で所定の温水が循環される暖房端末３，４，５とにより構成されている。
【００１７】
なお、図１には温水暖房システムを構成する熱源機として、温水暖房機能に特化した単機能の熱源機２ａの例を示しているが、これに限らず、給湯機能及び温水暖房機能を共に備えた複合熱源機、あるいは、給湯機能、温水暖房機能及び風呂追い焚き機能を備えた複合熱源機に対し、本発明の温水暖房システムの熱源機を適用することも、もちろん可能である。又、図１には熱源としての温水の要求温度が互いに異なる３種類の暖房端末、すなわち要求温度が低温（例えば４０℃）の低温暖房端末３，要求温度が中温（例えば６０℃）の中温暖房端末４，及び，要求温度が高温（例えば８０℃）の高温暖房端末５を各１ずつ図示しているが、これに限らず、各種の暖房端末３，４，５としてそれぞれ複数ずつ備え、これらに上記熱源機２ａから熱源としての温水を各別に循環させるように構成してもよい。上記の低温暖房端末３としては例えば４０℃の低温水が供給される低温暖房用の床暖房が例示され、中温暖房端末４としては例えば６０℃の中温水が供給される通常の床暖房が例示され、又、高温暖房端末５としては例えば８０℃の高温水が供給される浴室乾燥機や室内暖房機等が例示される。上記の床暖房は、建物の各部屋に設置された床暖房用の放熱パネルや放熱チューブ等により構成されている。以上の事情は後述の実施形態２においても同じである。
【００１８】
上記熱源機２ａは、そのケーシング１１に戻り口１１１、低温水供給口１１２、中温水供給口１１３及び高温水供給口１１４の各接続口を備えたものである。そして、上記低温暖房端末３は、その入口側に上記低温水供給口１１２から延長された低温往き配管３１が接続され、出口側からの戻り配管３２が戻り口１１１に接続されている。上記中温暖房端末４は、その入口側に上記中温水供給口１１３から延長された中温往き配管４１が接続され、出口側からの戻り配管４２が戻り口１１１に接続されている。又、上記高温暖房端末５は、その入口側に上記高温水供給口１１４から延長された高温往き配管５１が接続され、出口側からの戻り配管５２が戻り口１１１に接続されている。なお、図１では、戻り配管３２及び４２が戻り配管５２に合流するように図示しているが、配管設置の都合に応じて、図示のようにいずれかに合流させてもよいし、全ての戻り配管３２，４２，５２の下流端を個別に戻り口１１１に接続させるようにしてもよい。
【００１９】
上記熱源機２ａのケーシング１１内には、膨張タンク１２、循環ポンプ１３、液−液熱交換式の第２熱交換器としての温調用熱交換器１４、燃焼器を構成するバーナ１５及びこのバーナ１５の燃焼熱により熱交換加熱される加熱用の熱交換器１６の各要素に加え、第１戻り路１７、第２戻り路１８、高温水供給路としての高温往き路１９、高温バイパス路２０、低温水供給路としての低温往き路２１及び中温水供給路としての中温往き路２２という温水の流路が備えられている。
【００２０】
上記第１戻り路１７は、上流端が上記戻り口１１１に接続され、下流端が膨張タンク１２に接続されており、戻り口１１１に戻される放熱後の温水を膨張タンク１２に戻すようになっている。上記第２戻り路１８は、上流端が膨張タンク１２に接続され、下流端が熱加熱用交換器１６の入口に接続されており、途中に循環ポンプ１３が介装されかつその循環ポンプ１３の下流側で温調用熱交換器１４を通過するように配設されている。上記高温往き路１９は、上流端が加熱用熱交換器１６の出口に接続され、下流端が高温水供給口１１４に接続されており、熱交換器１６で加熱された高温水を高温暖房端末５に供給するようになっている。上記高温バイパス路２０は、上流端が上記高温往き路１９の途中から分岐し、温調用熱交換器１４を通過した後に下流端が第１戻り路１７に合流するように配設されており、高温往き路１９内の高温水の一部を温調用熱交換器１４に対し第２戻り路１８内の低温水を加熱する熱源として供給し、供給後の温水が膨張タンク１２に戻されるようになっている。低温往き路２１は、循環ポンプ１３の吐出側位置であって温調用熱交換器１４に入る前の位置の第２戻り路１８から上流端が分岐され、下流端が低温水供給口１１２に接続されており、膨張タンク１２内の温水をそのまま低温暖房端末３に供給するようになっている。中温往き路２２は、第２戻り路１８の温調用熱交換器１４の出口側から上流端が分岐され、下流端が中温水供給口１１３に接続されており、温調用熱交換器１４で膨張タンク１２内の低温水が上記の高温水との熱交換加熱されて所定量昇温した中温水を中温暖房端末４に供給するようになっている。
【００２１】
なお、図１中の符号１７１，１８１，１９１はそれぞれサーミスタであり、サーミスタ１７１は膨張タンク１２に戻される低温水の温度を、サーミスタ１８１は熱交換器１６に熱交換熱のために送られる温水の温度であって温調用熱交換器１４により昇温された後の中温水の温度を、サーミスタ１９１は熱交換器１６で加熱された後の高温水の温度を、それぞれ検出して図示省略のコントローラに出力するようになっている。
【００２２】
以上の熱源機２ａの場合、循環ポンプ１３を作動させてバーナ１５による加熱を開始すると、膨張タンク１２内の低温水の一部が温調用熱交換器１４を通過して加熱用熱交換器１６に送られる一方、上記低温水の他部が低温往き路２１、低温水供給口１１２及び低温往き配管３１を通して低温暖房端末３に供給されることになる。上記の温調用熱交換器１４を通過した低温水は、後述の加熱用熱交換器１６から高温往き路１９及び高温バイパス路２０に供給される高温水との液−液熱交換により昇温されて中温水となる。この中温水は、その一部が中温往き路２２、中温水供給口１１３及び中温往き配管４１を通して中温暖房端末４に供給される一方、他部が第２戻り路１８を通して加熱用熱交換器１６に送られてバーナ１５の燃焼熱により加熱されて高温水となる。この高温水は、その一部が高温往き路１９、高温水供給口１１４及び高温往き配管５１を通して高温暖房端末５に供給される一方、他部が高温バイパス路２０を通して温調用熱交換器１４での上記低温水を昇温させるための熱交換用の熱源として供給される。この温調用熱交換器１４での熱交換により降温した温水は第１戻り路１７に流入して膨張タンク１２に戻されることになる。そして、以上の低温暖房端末３、中温暖房端末４及び高温暖房端末５でそれぞれ放熱により降温した温水が戻り配管３２，４２，５２を通して戻り口１１１に戻され、第１戻り路１７を経て膨張タンク１２に戻される。この膨張タンク１２の温水が第２戻り路１８に再び送り出されて循環が繰り返される。
【００２３】
上記の循環において、膨張タンク１２から第２戻り路１８に送り出され、温調用熱交換器１４を通過せずに低温往き路２１を通して低温暖房端末３に供給される温水が最も低温の低温水となり、次いで上記の温調用熱交換器１４で昇温された後に中温往き路２２を通して中温暖房端末４に分流供給される温水が上記低温水よりも高温の中温水となり、そして、この中温水が上記加熱用熱交換器１６でさらに加熱された後に高温往き路１９を通して高温暖房端末５及び高温バイパス路２０を通して温調用熱交換器１４に供給される温水が最も高温の高温水となる。これにより、同じ熱源機２ａから低温水・中温水・高温水という３種類の温度域の温水を各暖房端末３，４，５に供給し得ることになる。例えば、膨張タンク１２に戻されて第２戻り路１８に送り出される低温水の温度を４０℃にし、加熱用熱交換器１６において加熱した後の高温水の目標温度を８０℃にしたとすると、温調用熱交換器１４での低温水と高温水との液−液熱交換により加熱用熱交換器１６側及び中温往き路２２側に供給される中温水の温度を６０℃にし得ることになる。そして、加熱用熱交換器１６に入る温水温度は低温水の温度（上例では４０℃）ではなくて温調用熱交換器１４にて昇温された中温水の温度（上例では６０℃）となるため、加熱用熱交換器１６での結露発生のおそれもない。
【００２４】
以上により、従来の６０℃の低温水と、８０℃の高温水との２温度の温水供給、又は、この２温度の温水の混合による中間温度の温水をも併給するという従来の温水暖房システムの熱源機と比較して、本実施形態では供給し得る温水温度範囲を上記の従来の熱源機よりも低温側に拡張して低温水温度を４０℃にしたとしても、従来と同様の８０℃の高温水に加え、６０℃の中温水（従来の低温水に相当）の３温度の温水供給を行うことができるようになる。しかも、加熱用熱交換器１６での結露発生を招くこともない。
【００２５】
＜第２実施形態＞
図２は、本発明の第２実施形態に係る熱源機２ｂと、この熱源機２ｂを用いた温水暖房システムを示す。この第２実施形態の熱源機２ｂは、高温往き路１９の高温水を温調用熱交換器２４での液−液熱交換により降温させることにより中温水の生成を行っている点で、低温水を温調用熱交換器１４（図１参照）での液−液熱交換により昇温させることにより中温水の生成を行っている第１実施形態の熱源機２ａと異なる。その他の第１実施形態と同じ構成部分については第１実施形態と同じ符号を付してその詳細な説明を省略する。
【００２６】
上記熱源機２ｂでは、中温水供給路としての中温往き路２５の上流端を高温往き路１９の途中から分岐させ、下流端を中温水供給口１１３に接続させている。そして、循環ポンプ１３と加熱用熱交換器１６との間の第２戻り路１８に介装させた温調用熱交換器２４に対し、高温往き路１９から上記中温往き路２５に分流した高温水を通過させるようにしている。これにより、上記高温水を第２戻り路１８内の低温水との液−液熱交換により降温させ、温調用熱交換器２４から出た中温水を中温水供給口１１３及び中温往き配管４１を通して中温暖房端末４に供給するようにしている。
【００２７】
又、上記温調用熱交換器２４の出口側と中温水供給口１１３との間の中温往き路２５からバイパス路２６の上流端を分岐させ、その下流端を第１戻り路１７の上流側に接続している。このバイパス路２６により、中温往き路２５の中温水の一部を中温暖房端末４に供給することなく第１戻り路１７を経て膨張タンク１２に戻すようにしている。これにより、中温暖房端末４の運転停止時には中温往き路２５内の中温水を中温暖房端末４側に供給することなくバイパス路２６を通して膨張タンク１２に戻すことが可能となる。又、高温暖房端末５の運転停止時にも、高温往き路１９内の高温水を上記と同様にバイパス路２６を通して膨張タンク１２に戻すことが可能となる。なお、図２中の符号２１１はサーミスタであり、このサーミスタ２１１により低温往き路２１を通して低温暖房端末３に供給される低温水の温度を検出して図示省略のコントローラに出力するようになっている。
【００２８】
この第２実施形態の熱源機２ｂにおいても、循環ポンプ１３を作動させてバーナ１５による加熱を開始すると、膨張タンク１２内の低温水の一部が温調用熱交換器２４を通過して加熱用熱交換器１６に送られる一方、上記低温水の他部が低温往き路２１、低温水供給口１１２及び低温往き配管３１を通して低温暖房端末３に供給されることになる。上記の温調用熱交換器２４を通過した低温水は、高温往き路１９から中温往き路２５に分流供給される高温水との液−液熱交換により昇温された後に加熱用熱交換器１６に入れられる。これにより、低温水温度を例えば４０℃という低温度にしたとしても、加熱用熱交換器１６に入る前に昇温されるため、加熱用熱交換器１６での結露発生を回避することができる。そして、加熱用熱交換器１６にてバーナ１５の燃焼熱により加熱されて高温往き路１９に出された高温水は、高温往き路１９、高温水供給口１１４及び高温往き配管５１を通して高温暖房端末５に供給される。一方、上記の温調用熱交換器２４に高温往き路１９から入れられた高温水は上記の液−液熱交換により降温されて中温水となり、この中温水が中温往き路２５、中温水供給口１１３及び中温往き配管４１を通して中温暖房端末４に供給されることになる。そして、以上の低温暖房端末３、中温暖房端末４及び高温暖房端末５でそれぞれ放熱により降温した温水が戻り配管３２，４２，５２を通して戻り口１１１に戻され、第１戻り路１７を経て膨張タンク１２に戻される。この膨張タンク１２の温水が第２戻り路１８に再び送り出されて循環が繰り返される。
【００２９】
上記の循環において、膨張タンク１２から第２戻り路１８に送り出され、温調用熱交換器２４を通過せずに低温往き路２１を通して低温暖房端末３に供給される温水が最も低温の低温水となり、次いで上記の温調用熱交換器２４で低温水との熱交換により高温水が降温して高温水と低温水との中間温度の中温水となり、そして、上記温調用熱交換器２４での高温水との熱交換により低温水が昇温した状態で上記加熱用熱交換器１６でさらに加熱されて高温往き路１９に供給される温水が最も高温の高温水となる。これにより、本実施形態の熱源機２ｂによっても、低温水・中温水・高温水という３種類の温度域の温水を各暖房端末３，４，５に供給し得ることになる。例えば、膨張タンク１２に戻されて第２戻り路１８に送り出される低温水の温度を４０℃にし、加熱用熱交換器１６において加熱した後の高温水の目標温度を８０℃にしたとすると、温調用熱交換器２４での低温水と高温水との液−液熱交換により中温水供給口１１３の側に供給される中温水の温度を６０℃にし得ることになる。そして、加熱用熱交換器１６に入る温水温度は低温水の温度（上例では４０℃）ではなくて温調用熱交換器２４にて昇温された温水温度となるため、加熱用熱交換器１６での結露発生のおそれもない。
【００３０】
以上により、この第２実施形態においても、第１実施形態と同様に、供給し得る温水温度範囲を従来の熱源機よりも低温側に拡張して低温水温度を例えば４０℃にしたとしても、従来と同様の８０℃の高温水に加え、６０℃の中温水（従来の低温水に相当）の３温度の温水供給を行うことができるようになる。しかも、加熱用熱交換器１６での結露発生を招くこともない。
【００３１】
又、前述の第１実施形態では第２戻り路１８に介装した温調用熱交換器１４（図１参照）の出口で中温往き路２２と、加熱用熱交換器１６側とに分流させているのに対し、第２実施形態では温調用熱交換器２４から出た第２戻り路１８内の温水の全てを加熱用熱交換器１６に送り、この加熱用熱交換器１６で加熱された後の高温水の一部を用いて中温水の供給を行っているため、膨張タンク１２から第２戻り路１８を経て加熱用熱交換器１６に送られる温水の流量を第１実施形態の場合よりも多くすることができる。このため、加熱用熱交換器１６での加熱により受ける熱量を第１実施形態の場合よりも多く確保することができ、その結果、高温暖房端末５又は中温暖房端末４側での運転台数の増加切換又は運転能力の強側への切換等に伴い要求熱量の総量が増加したとしても、より適切に対応することができることになる。
【００３２】
一方、上記の第１実施形態では、中温水の供給を加熱用熱交換器１６を経ることなく温調用熱交換器１４の出口から直接に中温水供給口１１３を経て中温暖房端末４側に供給するようにしているため、加熱用熱交換器１６の通過に伴う圧力損失の影響を受けることなく循環ポンプ１３の吐出圧（強制循環の温水供給圧）をほぼ維持した状態で中温水の中温暖房端末４側への供給を行うことができることになる。
【００３３】
＜他の実施形態＞
なお、本発明は上記第１及び第２実施形態に限定されるものではなく、その他種々の実施形態を包含するものである。すなわち、上記第１及び第２実施形態では、低温水温度として４０℃、中温水温度として６０℃、高温水温度として８０℃を例示したが、これに限らず、循環流量の制御等によって、例えば低温水温度として５０℃、中温水温度として７０℃、高温水として９０℃等のように様々な３温度の温水供給を行うことができる。
【図面の簡単な説明】
【００３４】
【図１】本発明の第１実施形態を示す模式図である。
【図２】第２実施形態を示す模式図である。
【図３】従来の例を示す模式図である。
【符号の説明】
【００３５】
２ａ，２ｂ        熱源機
３                低温暖房端末（暖房端末）
４                中温暖房端末（暖房端末）
５                高温暖房端末（暖房端末）
１１              ケーシング
１３              循環ポンプ（強制循環用の手段）
１４，２４        温調用熱交換器（第２熱交換器）
１６              加熱用熱交換器（熱交換器）
１７              第１戻り路（戻り路）
１８              第２戻り路（戻り路）
１９              高温往き路（高温水供給路）
２０              高温バイパス路（高温水バイパス路）
２１              低温往き路（低温水供給路）
２２，２５        中温往き路（中温水供給路）
１１１            戻り口
１１２            低温水供給口
１１３            中温水供給口
１１４            高温水供給口
【図１】
2006046809.tif 000003
【図２】
2006046809.tif 000004
【図３】
2006046809.tif 000005